(57)【要約】【課題】コンテナの係合突部に対する荷重の集中を抑制して、係合突部に変形が起こり難い蓋部材を提供する。【解決手段】スキッドパレットＰの表面側に載置されたコンテナ３０の上に載せて使用される四角板状の蓋部材は、スキッドパレットＰの脚部を載置するための載置面１２ａ及び載置面１３ａが表面側に設けられている。載置面１２ａ及び載置面１３ａの裏面側に位置する部位には、コンテナ３０の側壁上縁に設けられている係合突部３１を、収容させるための収容部（隙間Ｓ）と、コンテナ３０の側壁上縁に当接させるための当接部２４とが設けられている。【選択図】図４
2015077983.tif 000002
【特許請求の範囲】
【請求項１】
スキッドパレットの表面側に載置されたコンテナの上に載せて使用される四角板状の蓋部材であって、
当該蓋部材の上にスキッドパレットを積み重ねた際にスキッドパレットの脚部を載置するための載置面が表面側に設けられ、
前記載置面の裏面側に位置する部位には、コンテナ同士を積み重ねた際に係合させるべくコンテナの側壁上縁に設けられた係合突部を収容させるための収容部と、コンテナの側壁上縁に当接させるための当接部とが設けられていることを特徴とする蓋部材。
【請求項２】
表面側には、スキッドパレットの脚部の先端が挿入される溝形状の載置部が設けられ、
前記載置面は、前記載置部の底面であることを特徴とする請求項１に記載の蓋部材。
【請求項３】
前記載置面の裏面側に位置する部位であって、蓋部材の四隅に位置する部位には、前記係合突部に当接させるための補助当接部が設けられていることを特徴とする請求項１又は請求項２に記載の蓋部材。
【発明の詳細な説明】
【技術分野】
【０００１】
本発明は、スキッドパレットの表面側に載置されたコンテナの上に載せて使用される四角板状の蓋部材に関する。
【背景技術】
【０００２】
図５に示すように、物品が収容されたコンテナ３０を運搬する際に、スキッドパレットＰが用いられることがある。スキッドパレットＰは、平板状のデッキ部の裏面側に脚部を形成してなる片面仕様のパレットであり、デッキ部の表面側にコンテナ３０が載置される。
【０００３】
スキッドパレットＰを用いてコンテナ３０を運搬する場合には、コンテナ３０の上に平板状の蓋部材４０を載せて、蓋部材４０とスキッドパレットＰとによりコンテナ３０を挟み込むとともに、これらにベルト４１を巻き付ける等して、コンテナ３０とスキッドパレットＰとを固定する。これにより、スキッドパレットＰ上に積み重ねられたコンテナ３０の状態が安定化されて、荷崩れ等の発生が抑制される（特許文献１参照）。
【０００４】
また、図６（ａ）、（ｂ）に示すように、積み重ねて使用可能なコンテナ３０として、側壁の上縁に係合突部３１を有するコンテナが知られている。このコンテナ３０は、底壁の下面側に、係合突部３１に嵌合する収容凹部３２が設けられており、積み重ねた際に、下段のコンテナ３０の係合突部３１と上段のコンテナ３０の収容凹部３２が係合するように構成されている。これにより、コンテナ３０を積み重ねた際における上下のコンテナ３０同士の位置ずれが抑制される（特許文献２参照）。
【先行技術文献】
【特許文献】
【０００５】
【特許文献１】特開２０１２−２４０７０４号公報
【特許文献２】特開２００１−３３５０２９号公報
【発明の概要】
【発明が解決しようとする課題】
【０００６】
ところで、上記の蓋部材を用いて一体に固定されたコンテナ３０及びスキッドパレットＰの複合体は、保管時や輸送時において、その複合体単位で上下に積み重ねられることがある。つまり、下段の複合体の蓋部材４０の上に、上段の複合体のスキッドパレットＰを載置するようにして積み重ねられる。
【０００７】
このとき、スキッドパレットＰに載置されるコンテナ３０が、側壁の上縁に係合突部３１を有するコンテナ３０であると、下段の複合体において、蓋部材４０を通じてコンテナ３０に作用する荷重が、蓋部材４０との唯一の当接部分となる係合突部３１に集中して、コンテナ３０の係合突部３１が変形してしまう場合があった。そして、係合突部３１が過度に変形すると、係合突部３１を上段のコンテナ３０の収容凹部３２に係合させつつ、コンテナ３０を積み重ねることができなくなって、積み重ねコンテナとしては使用不能となる。
【０００８】
本発明は、こうした従来の実情に鑑みてなされたものであり、その目的は、コンテナの係合突部に対する荷重の集中を抑制して、係合突部に変形が起こり難い蓋部材を提供することにある。
【課題を解決するための手段】
【０００９】
上記の目的を達成するために請求項１に記載の蓋部材は、スキッドパレットの表面側に載置されたコンテナの上に載せて使用される四角板状の蓋部材であって、当該蓋部材の上にスキッドパレットを積み重ねた際にスキッドパレットの脚部を載置するための載置面が表面側に設けられ、前記載置面の裏面側に位置する部位には、コンテナ同士を積み重ねた際に係合させるべくコンテナの側壁上縁に設けられている係合突部を、収容させるための収容部と、コンテナの側壁上縁に当接させるための当接部とが設けられていることを特徴とする。
【００１０】
上記構成によれば、蓋部材を通じてコンテナに伝えられる荷重は、蓋部材側に設けられた当接部が当接する側壁上縁に作用することになる。これにより、係合突部に作用する荷重が分散される、又は係合突部に荷重が作用しなくなって、コンテナの係合突部に荷重が集中することが抑制される。その結果、コンテナの係合突部に変形が起こり難くなる。
【００１１】
さらに、スキッドパレットの脚部を載置するための載置面の裏面側に当接部が設けられているため、スキッドパレットから蓋部材に作用する荷重をコンテナへと上下に直線的に伝えることができる。これにより、コンテナ及び蓋部材の載置状態が安定化される。また、蓋部材の変形も抑制することができる。
【００１２】
上記蓋部材において、表面側には、スキッドパレットの脚部の先端が挿入される溝形状の載置部が設けられ、前記載置面は、前記載置部の底面であることが好ましい。上記構成によれば、蓋部材の表面側にスキッドパレットを安定して載置することができる。
【００１３】
上記蓋部材において、前記載置面の裏面側に位置する部位であって、蓋部材の四隅に位置する部位には、前記係合突部に当接させるための補助当接部が設けられていることが好ましい。
【００１４】
蓋部材の四隅は、コンテナとの当接が不十分であると、コンテナの上で蓋部材がぐらつきやすくなる。一方、蓋部材の四隅は、その裏面側にコンテナの係合突部が位置することになる部位である。そこで、上記構成においては、係合突部に当接させるための補助当接部を蓋部材の四隅に設けることによって、四隅におけるコンテナとの当接部分を確保している。これにより、コンテナの上における蓋部材のぐらつきを抑制することができる。
【発明の効果】
【００１５】
本発明の蓋部材によれば、コンテナの係合突部に対する荷重の集中が抑制されて、係合突部に変形が起こり難くなる。
【図面の簡単な説明】
【００１６】
【図１】（ａ）は蓋部材の表面側を示す斜視図、（ｂ）は蓋部材の裏面側を示す斜視図。
【図２】蓋部材の裏面とコンテナとの関係を示す図。
【図３】蓋部材の裏面とコンテナとの関係を示す図。
【図４】（ａ）はＡ−Ａ線断面図、（ｂ）はＢ−Ｂ線断面図、（ｃ）はＣ−Ｃ線断面図。
【図５】スキッドパレット、コンテナ、及び蓋部材を示す斜視図。
【図６】（ａ）はコンテナの斜視図、（ｂ）はコンテナの係合状態を示す作用図。
【発明を実施するための形態】
【００１７】
以下、本発明の蓋部材を図面に基づいて説明する。
図１に示すように、蓋部材１０は、四角板状をなす樹脂成形品である。
図１（ａ）に示すように、蓋部材１０の表面側には、蓋部材１０の周縁に沿って形成される四角枠状の外縁部１１が設けられている。外縁部１１の内域には、スキッドパレットＰの脚部に係合可能な一対の端部載置部１２、及び中央載置部１３が設けられている。
【００１８】
一対の端部載置部１２はそれぞれ、蓋部材１０の対向する第１側縁１０ａに沿って延びる溝形状をなしている。そして、溝形状の端部載置部１２の内底面として、平らな載置面１２ａが形成されている。また、中央載置部１３は、一対の端部載置部１２の中間に位置し、端部載置部１２と平行に延びる溝形状をなしている。そして、溝形状の中央載置部１３の内底面として、平らな載置面１３ａが形成されている。
【００１９】
また、外縁部１１において、蓋部材１０の対向する第２側縁１０ｂ側に位置する部位の両端部には、第２側縁１０ｂに沿って延びるとともに、表面側（上方）へ突出する突条形状の係止部１４がそれぞれ設けられている。係止部１４は蓋部材１０の使用時において、蓋部材１０に巻き付けられたベルト部材に当接して、ベルト部材のずれ落ち（外れ）を規制する（図５参照）。
【００２０】
図１（ｂ）に示すように、蓋部材１０の裏面側には、各端部載置部１２に対応して裏面側（下方）へ膨出する一対の端部膨出部２１が設けられている。つまり、端部膨出部２１は、端部載置部１２の載置面１２ａの裏面側に位置し、蓋部材１０の第１側縁１０ａに沿って延びる突条形状に形成されている。突条形状の端部膨出部２１の底部分には、平らな外底面２１ａが形成されている。
【００２１】
また、蓋部材１０の裏面には、中央載置部１３に対応して裏面側（下方）へ膨出する中央膨出部２２が設けられている。つまり、中央膨出部２２は、中央載置部１３の載置面１３ａの裏面側に位置し、端部膨出部２１と平行に延びる突条形状に形成されている。突条形状の中央膨出部２２の底部分には、平らな外底面２２ａが形成されている。
【００２２】
また、蓋部材１０の裏面側には、蓋部材１０の第２側縁１０ｂに沿って延びるとともに、端部膨出部２１及び中央膨出部２２と接続される、突条形状の補助膨出部２３が設けられている。突条形状の補助膨出部２３の底部分には、平らな外底面２３ａが形成されている。突条形状の補助膨出部２３の底部分には、平らな外底面２３ａが形成されている。端部膨出部２１の外底面２１ａ、中央膨出部２２の外底面２２ａ、及び補助膨出部２３の外底面２３ａは同じ高さとなっている。
【００２３】
端部膨出部２１の外底面２１ａ、及び中央膨出部２２の外底面２２ａには、四角枠状に突出する当接部２４が複数、設けられている。端部膨出部２１の外底面２１ａにおいて、当接部２４は、端部膨出部２１の両端からやや内側に入った位置にそれぞれ形成されている。中央膨出部２２の外底面２２ａにおいて、当接部２４は、当接部２４は、中央膨出部２２の両端からやや内側に入った位置にそれぞれ形成されるとともに、中央部に二つ並ぶようにして形成されている。
【００２４】
各当接部２４は、その先端の位置が同じ高さとなるように形成されている。したがって、端部膨出部２１の外底面２１ａ、中央膨出部２２の外底面２２ａ、及び補助膨出部２３の外底面２３ａが同じ高さである本実施形態においては、各当接部２４の突出高さは等しい。そして、各当接部２４の突出高さは、コンテナ３０の側壁の上縁に設けられる係合突部３１の突出高さに基づいて設定されている。具体的には、各当接部２４の突出高さは、本実施形態の蓋部材１０の使用が想定されるコンテナ３０の係合突部３１の突出高さよりも高くなるように設定されている。
【００２５】
端部膨出部２１の外底面２１ａの両端、即ち蓋部材１０の裏面側の四隅に位置する部位には、格子状に突出する補助当接部２５が設けられている。端部膨出部２１の外底面２１ａからの補助当接部２５の突出高さは、コンテナ３０の側壁の上縁に設けられる係合突部３１の突出高さに基づいて設定されている。具体的には、本実施形態の蓋部材１０の使用が想定されるコンテナ３０の係合突部３１の突出高さと、当接部２４の突出高さとの差に等しくなるように設定されている。したがって、補助当接部２５の突出高さは、当接部２４の突出高さよりも低くなっている。また、中央膨出部２２の外底面２２ａの両端から補助膨出部２３の外底面２３ａにかけて、同様の補助当接部２５が設けられている。
【００２６】
次に、本実施形態の作用ついて記載する。
図２は、６個の長四角箱状のコンテナ３０をスキッドパレットＰの表面側に縦２×横３として並べ、そのコンテナ３０の上に本実施形態の蓋部材１０を載せた場合における、蓋部材１０の裏面とコンテナ３０との位置関係を示している。このとき、蓋部材１０の端部膨出部２１は、コンテナ３０の短側壁の上に位置することになる。以下、この状態について説明する。
【００２７】
図４（ａ）に示すように、端部膨出部２１に設けられた当接部２４がコンテナ３０の側壁の上縁に当接する。一方、コンテナ３０の側壁の上縁に設けられた係合突部３１は、当接部２４の間に形成される隙間Ｓ（収容部）内に収容される。そして、端部膨出部２１の外底面２１ａは、係合突部３１から僅かに浮いた状態となる。また、端部膨出部２１の両端部分、即ち蓋部材１０の裏面側の四隅に位置する部位においては、端部膨出部２１に設けられた補助当接部２５がコンテナ３０の係合突部３１に当接する。
【００２８】
したがって、端部載置部１２に脚部を挿入するようにして、蓋部材１０の表面側にスキッドパレットＰが積み重ねられて、端部載置部１２の載置面１２ａに脚部が載置されると、その荷重は、載置面１２ａの裏面側に位置する端部膨出部２１を介して、コンテナ３０に伝えられる。このとき、上記荷重は、端部膨出部２１の当接部２４とコンテナ３０の側壁上縁との当接部分に作用する。一方、当接部２４の間に形成される隙間Ｓ（収容部）内に収容されている係合突部３１は、端部膨出部２１の外底面２１ａから離間しているため、係合突部３１に上記荷重は作用しない。
【００２９】
また、図４（ｂ）に示すように、中央膨出部２２についても同様である。つまり、中央膨出部２２に設けられた当接部２４がコンテナ３０の側壁の上縁に当接する。一方、コンテナ３０の側壁の上縁に設けられた係合突部３１は、当接部２４の間に形成される隙間Ｓ（収容部）内に収容される。そして、中央膨出部２２の外底面２２ａは、係合突部３１から僅かに浮いた状態となる。また、中央膨出部２２の両端部分においては、中央膨出部２２に設けられた補助当接部２５がコンテナ３０の係合突部３１に当接する。
【００３０】
したがって、中央載置部１３に脚部を挿入するようにして、蓋部材１０の表面側にスキッドパレットＰが積み重ねられて、中央載置部１３の載置面１３ａに脚部が載置されると、その荷重は、載置面１３ａの裏面側に位置する中央膨出部２２を介して、コンテナ３０に伝えられる。このとき、上記荷重は、中央膨出部２２の当接部２４とコンテナ３０の側壁上縁との当接部分に作用する。一方、当接部２４の間に形成される隙間Ｓ（収容部）内に収容されている係合突部３１は、中央膨出部２２の外底面２２ａから離間しているため、係合突部３１に上記荷重は作用しない。
【００３１】
このように、本実施形態の蓋部材１０によれば、蓋部材１０を通じてコンテナ３０に伝えられる荷重は、蓋部材１０の当接部２４が当接する側壁上縁に作用し、蓋部材１０の収容部（隙間Ｓ）に収容される係合突部３１には作用しなくなる。これにより、コンテナ３０の係合突部３１に大きな荷重が作用することが抑制されて、コンテナ３０の係合突部３１に変形が起こり難くなる。
【００３２】
また、図３は、４個の横長の長四角箱状のコンテナ３０をスキッドパレットＰの表面側に各コンテナ３０の短側壁と長側壁とを合わせるようにしてロ字状に並べ、そのコンテナ３０の上に本実施形態の蓋部材１０を載せた場合における、蓋部材１０の裏面とコンテナ３０との位置関係を示している。
【００３３】
図４（ｃ）に示すように、この場合であっても、端部膨出部２１に設けられた当接部２４がコンテナ３０の側壁の上縁に当接し、コンテナ３０の側壁の上縁に設けられた係合突部３１は、当接部２４の間に形成される隙間Ｓ（収容部）内に収容される。したがって、図２の場合と同様に、コンテナ３０の係合突部３１に大きな荷重が作用することが抑制されて、コンテナ３０の係合突部３１に変形が起こり難くなる。
【００３４】
次に本実施形態における作用効果について、以下に記載する。
（１）スキッドパレットＰの表面側に載置されたコンテナ３０の上に載せて使用される四角板状の蓋部材１０は、スキッドパレットＰの脚部を載置するための載置面１２ａ及び載置面１３ａが表面側に設けられている。載置面１２ａ及び載置面１３ａの裏面側に位置する部位には、コンテナ３０の側壁上縁に設けられている係合突部３１を、収容させるための収容部（隙間Ｓ）と、コンテナ３０の側壁上縁に当接させるための当接部２４とが設けられている。
【００３５】
上記構成によれば、コンテナ３０の係合突部３１に荷重が集中することが抑制されて、係合突部３１に変形が起こり難くなる。その結果、係合突部３１が過度に変形して、コンテナ３０が積み重ねコンテナとして使用不能になってしまうという状況を好適に回避することができる。
【００３６】
また、スキッドパレットＰの脚部を載置するための載置面１２ａ及び載置面１３ａの裏面側に当接部２４が設けられているため、スキッドパレットＰから蓋部材１０に作用する荷重をコンテナ３０へと上下に直線的に伝えることができる。これにより、コンテナ３０及び蓋部材１０の載置状態が安定化される。また、蓋部材１０の変形も抑制することができる。
【００３７】
（２）蓋部材１０の表面側に対して、スキッドパレットＰの脚部の先端が挿入される溝形状の端部載置部１２及び中央載置部１３を設けている。そして、端部載置部１２及び中央載置部１３の内底面を載置面１２ａ，１３ａとしている。
【００３８】
上記構成によれば、スキッドパレットＰの脚部の先端が端部載置部１２及び中央載置部１３に係合されることにより、蓋部材１０上におけるスキッドパレットＰの安定性が高められる。
【００３９】
（３）蓋部材１０の裏面側において、四隅に位置する部位となる、端部膨出部２１の外底面２１ａの両端部には、コンテナ３０の係合突部３１に当接させるための補助当接部２５が設けられている。
【００４０】
上記構成によれば、蓋部材１０の四隅において、コンテナ３０との当接部分が確保される。これにより、コンテナ３０の上における蓋部材１０のぐらつきを抑制することができる。なお、スキッドパレットＰ上に並べられたコンテナ３０の各係合突部３１のうち、全体の四隅に位置する係合突部３１については、蓋部材１０の裏面と当接することになる。しかし、蓋部材１０の当接部２４とコンテナ３０の側壁上縁とが当接しているため、この係合突部３１のみに荷重が集中することはない。
【００４１】
（４）中央膨出部２２の外底面２２ａの両端部にも、コンテナ３０の係合突部３１に当接させるための補助当接部２５が設けられている。上記構成によれば、上記（３）の効果を更に高めることができる。
【００４２】
（５）外縁部１１における第２側縁１０ｂ側の部位の両端部には、表面側（上方）へ突出する突条形状の係止部１４がそれぞれ設けられている。
上記構成によれば、図５に示すように、ベルト４１を巻き付けることによって、スキッドパレットＰ、コンテナ３０、蓋部材１０を固定した際に、蓋部材１０の表面側に設けられた係止部１４にベルト４１が引っ掛かることで、蓋部材１０からのベルト部材のずれ落ち（外れ）が規制される。
【００４３】
なお、本実施形態は、次のように変更して具体化することも可能である。また、次の変更例を互いに組み合わせ、その組み合わせの構成のように上記実施形態を変更することも可能である。
【００４４】
・  上記実施形態では、当接部２４を四角枠状の突出部分として形成していたが、当接部２４の形状は特に限定されるものではない。例えば、円環状又は四角以外の多角枠状の突出部分として形成してもよいし、中実のブロック状の突出部分として形成してもよい。
【００４５】
・  上記実施形態では、端部膨出部２１の外底面２１ａ、中央膨出部２２の外底面２２ａ、及び補助膨出部２３の外底面２３ａが同じ高さとなっていたが、これらの中のいずれか一つ又はすべてがそれぞれ異なる高さに形成されていてもよい。この場合には、各当接部２４の先端の高さ位置が同じ高さとなるように、それぞれの当接部２４の突出高さを設定する。そして、最も突出高さの低い当接部２４について、本実施形態の蓋部材１０の使用が想定されるコンテナ３０の係合突部３１の突出高さよりも高くなるように設定する。
【００４６】
・  上記実施形態では、当接部２４の突出高さを、コンテナ３０の係合突部３１の突出高さよりも高くなるように設定していたが、係合突部３１の突出高さと同じ高さに設定してもよい。
【００４７】
・  上記実施形態では、端部膨出部２１の外底面２１ａに対して、外底面２１ａから突出する当接部２４を設けることにより、隣接する当接部２４の間に収容部（隙間Ｓ）を設けていたが、当接部２４及び収容部は、蓋部材１０の厚み方向において、相対的に突出する部位と相対的に凹んだ部位とであればよい。例えば、端部膨出部２１の外底面２１ａに対して、収容部として部分的に凹んだ凹部を設けることにより、収容部に対して相対的に突出する外底面２１ａ部分を当接部とすることもできる。中央膨出部２２の外底面２２ａに設けられる当接部２４及び収容部についても同様である。
【００４８】
・  蓋部材１０の裏面側において、当接部２４を形成する位置は、スキッドパレットＰの脚部を載置するための載置面（載置面１２ａ，載置面１３ａ）の裏面側に位置する部位の範囲であれば、特に限定されるものではない。本実施形態の蓋部材１０の使用が想定されるコンテナ３０の係合突部３１の形成位置に応じて適宜、設定すればよい。
【００４９】
・  上記実施形態では、蓋部材１０の裏面側において、スキッドパレットＰの脚部を載置するための載置面（載置面１２ａ，１３ａ）の裏面側に位置する部位の範囲のみに当接部２４及び収容部を設けていたが、同範囲以外の部位にも当接部２４及び収容部を設けてもよい。例えば、補助膨出部２３の外底面２３ａに、当接部２４及び収容部を設けてもよい。
【００５０】
・  上記実施形態では、端部膨出部２１及び中央膨出部２２に当接部２４及び収容部を設けていたが、当接部２４及び収容部が設けられる部位の形状は特に限定されるものではない。例えば、蓋部材１０の裏面全体を平面状に形成して、当接部２４のみ突出する構成としてもよい。
【００５１】
・  補助当接部２５の形状についても、当接部２４と同様に適宜変更することができる。
・  上記実施形態では、補助当接部２５の突出高さを、本実施形態の蓋部材１０の使用が想定されるコンテナ３０の係合突部３１の突出高さと、当接部２４の突出高さとの差に等しくなるように設定することによって、補助当接部２５をコンテナ３０の係合突部３１に当接させていた。この構成に代えて、補助当接部２５の突出高さを、本実施形態の蓋部材１０の使用が想定されるコンテナ３０の係合突部３１の突出高さと、当接部２４の突出高さとの差よりも小さくなるように設定してもよい。この場合、通常時は、蓋部材１０の四隅に設けられた補助当接部２５は、コンテナ３０の係合突部３１に当接しないが、コンテナ３０の上で蓋部材１０がぐらついた際に、補助当接部２５がコンテナ３０の係合突部３１に当接して、それ以上のぐらつきが抑制される。
【００５２】
・  端部膨出部２１の外底面２１ａに設けられる補助当接部２５、及び中央膨出部２２の外底面２２ａの両端部に設けられる補助当接部２５のうちの一方又は両方を省略してもよい。
【００５３】
・  載置部（端部載置部１２及び中央載置部１３）は、載置されたスキッドパレットＰの安定性を高めることのできるものであれば、溝形状の構成に限定されるものではなく、従来の蓋部材に用いられている公知の構成を採用することができる。例えば、載置部は、ゴムや粗面シート等の滑り抑制部材が取り付けられた部位であってもよい。
【００５４】
・  載置部を省略してもよい。この場合には、蓋部材１０の表面側に対して、載置面（載置面１２ａ，１３ａ）の位置を示す表示部を設けることが好ましい。
次に、上記実施形態及び変更例から把握できる技術的思想について記載する。
【００５５】
（イ）  前記載置面の裏面側に位置する部位に前記当接部としての突出部分を設けることにより、隣接する前記当接部の間に前記収容部としての隙間が形成されている前記蓋部材。
【００５６】
（ロ）  前記載置面の裏面側に位置する部位に前記収容部としての凹部を設けることにより、同部位における前記収容部以外の部位を前記当接部としている前記蓋部材。
【符号の説明】
【００５７】
Ｐ…スキッドパレット、Ｓ…隙間（収容部）、１０，４０…蓋部材、１２…端部載置部、１２ａ，１３ａ…載置面、１３…中央載置部、２４…当接部、２５…補助当接部、３０…コンテナ、３１…係合突部。
【図１】
2015077983.tif 000003
【図２】
2015077983.tif 000004
【図３】
2015077983.tif 000005
【図４】
2015077983.tif 000006
【図５】
2015077983.tif 000007
【図６】
2015077983.tif 000008